(57)【要約】【課題】巻取軸の支持位置の微調整を確実に行い得るとともに、支持ブラケットの大型化を防止し得るロールブラインドを提供する。【解決手段】巻取軸１の両端を支持ブラケット１を介して取付面に回動可能に支持するロールブラインドにおいて、巻取軸の一端を支軸４で回転可能に支持し、支軸４の基端を軸受固定プレート３に固定し、軸受固定プレート３を支持ブラケット１に上下動可能に支持し、支持ブラケット１から軸受固定プレート３に貫通されるネジ軸１１，１２にナット１３，１４を螺合して、該軸受固定プレート３を支持ブラケット１に締付固定した。【選択図】        図２
2004204452.tif 000002
【特許請求の範囲】
【請求項１】
巻取軸の両端を一対の支持ブラケットを介して取付面に回動可能に支持するロールブラインドにおいて、
前記巻取軸の一端を支軸で回転可能に支持し、前記支軸の基端を軸受固定プレートに固定し、前記軸受固定プレートを前記支持ブラケットに上下動可能に支持し、前記支持ブラケットから前記軸受固定プレートに貫通されるネジ軸にナットを螺合して、該軸受固定プレートを前記支持ブラケットに締付固定したことを特徴とするロールブラインド。
【請求項２】
前記軸受固定プレートには、第一及び第二のガイド孔を設け、該ガイド孔に前記ネジ軸をそれぞれ貫通し、該第一及び第二のガイド孔に沿って前記軸受固定プレートを回動させることにより、前記支軸を支持ブラケットに対し上下方向に位置調節可能としたことを特徴とする請求項１記載のロールブラインド。
【請求項３】
前記支持ブラケットには、前記軸受固定プレートの回動時に該軸受固定プレートから突出するガイド軸を案内する第三のガイド孔を設けたことを特徴とする請求項２記載のロールブラインド。
【請求項４】
前記第三のガイド孔には、前記ガイド軸にクリック感を付与する凹凸を設けたことを特徴とする請求項３記載のロールブラインド。
【請求項５】
前記支持ブラケットには、前記軸受固定プレートを前記第一及び第二のガイド孔に沿って回動させるとき、該軸受固定プレートを上下方向に案内する長孔を設けたことを特徴とする請求項２乃至４のいずれかに記載のロールブラインド。
【発明の詳細な説明】
【０００１】
【発明の属する技術分野】
この発明は、ロールブラインドのスクリーン巻取軸を支持する支持ブラケットに関するものである。
【０００２】
【従来の技術】
ロールブラインドの一種類として、巻取軸の両端がそれぞれ独立した支持ブラケットに回転可能に支持され、その支持ブラケットが取付面に取着されたものがある。
【０００３】
このようなロールブラインドでは、独立した支持ブラケットが取付面にそれぞれ取着されることから、支持ブラケットを取付面に取着した後に、巻取軸が水平方向に支持されるように微調整を行う必要がある。巻取軸が水平方向に支持されていないと、スクリーンの巻きずれが生じるからである。
【０００４】
このように巻取軸の支持位置を微調整する微調整装置を備えたロールブラインドは、特許文献１〜３に開示されている。
【０００５】
【特許文献１】
実開昭５９−１３２８９２
【特許文献２】
実公昭６２−２７６７７
【特許文献３】
実開昭６３−８３９１
【０００６】
【発明が解決しようとする課題】
特許文献１及び特許文献２に開示された微調整装置では、調整ネジを回転させて巻取軸の高さを微調整する構成である。従って、スクリーンの昇降操作時の振動により調整ネジが緩んで、巻取軸の高さに狂いが生じるという問題点がある。
【０００７】
特許文献３では、巻取軸の高さを調整ボルトで調整した後、固定ボルトで固定する微調整装置が開示されている。この微調整装置では、固定ボルトの作用により、調整後の巻取軸の高さの狂いを防止することはできる。しかし、特許文献１及び特許文献２と同様に、調整ボルトを下方から操作可能とするために、巻取軸の端縁と支持ブラケットとの間において、支持ブラケットに調整ボルトを設ける必要がある。従って、支持ブラケットが巻取軸の軸方向に大型化するという問題点がある。
【０００８】
この発明の目的は、巻取軸の支持位置の微調整を確実に行い得るとともに、支持ブラケットの大型化を防止し得るロールブラインドを提供することにある。
【０００９】
【課題を解決するための手段】
請求項１では、巻取軸の両端を一対の支持ブラケットを介して取付面に回動可能に支持するロールブラインドにおいて、前記巻取軸の一端を支軸で回転可能に支持し、前記支軸の基端を軸受固定プレートに固定し、前記軸受固定プレートを前記支持ブラケットに上下動可能に支持し、前記支持ブラケットから前記軸受固定プレートに貫通されるネジ軸にナットを螺合して、該軸受固定プレートを前記支持ブラケットに締付固定した。
【００１０】
請求項２では、前記軸受固定プレートには、第一及び第二のガイド孔を設け、該ガイド孔に前記ネジ軸をそれぞれ貫通し、該第一及び第二のガイド孔に沿って前記軸受固定プレートを回動させることにより、前記支軸を支持ブラケットに対し上下方向に位置調節可能とした。
【００１１】
請求項３では、前記支持ブラケットには、前記軸受固定プレートの回動時に該軸受固定プレートから突出するガイド軸を案内する第三のガイド孔を設けた。
請求項４では、前記第三のガイド孔には、前記ガイド軸にクリック感を付与する凹凸を設けた。
【００１２】
請求項５では、前記支持ブラケットには、前記軸受固定プレートを前記第一及び第二のガイド孔に沿って回動させるとき、該軸受固定プレートを上下方向に案内する長孔を設けた。
【００１３】
【発明の実施の形態】
以下、この発明を具体化した一実施の形態を図面に従って説明する。図１に示す支持ブラケット１は、窓の上枠等の取付面に固定され、ロールブラインドの巻取軸２の一端を回転可能に支持するものである。巻取軸２の他端は、同様な支持ブラケットに回転可能に支持されている。
【００１４】
支持ブラケット１は、巻取軸２の一端の取付位置を上下方向に微調整可能に支持するものであり、他方の支持ブラケットは巻取軸２の他端の取付位置を微調整不能に支持する。
【００１５】
一方の支持ブラケット１には、軸受固定プレート３が位置調節可能に固定され、その軸受固定プレート３に巻取軸２の一端を回転可能に支持する支軸４の基端部が固定される。
【００１６】
その詳細な構成を説明すると、前記支軸４の基端は軸受部５に固定され、その軸受部５にはフランジ部６が形成されている。そして、フランジ部６がネジ７で軸受固定プレート３に固定される。
【００１７】
前記軸受部５は、軸受固定プレート３を貫通して支持ブラケット１側に突出され、その突出部が支持ブラケット１に上下方向に形成された長孔８に係合している。従って、軸受固定プレート３は支持ブラケット１に対し、長孔８に沿って上下動可能に支持される。
【００１８】
前記軸受固定プレート３には、前記支軸４の取り付け位置の一側に円弧状の第一のガイド孔９が形成され、前記支軸４の取り付け位置の他側に長孔状の第二のガイド孔１０が形成されている。
【００１９】
前記第一及び第二のガイド孔９，１０には、前記支持ブラケット１から突出するネジ軸１１，１２が貫通され、そのネジ軸１１，１２の先端部にはそれぞれナット１３，１４が螺合されている。従って、図２〜図４に示すように、ナット１３，１４を緩めた状態では、軸受固定プレート３は支持ブラケット１に対し、第一および第二のガイド孔９，１０に沿って回動可能となっている。
【００２０】
また、ナット１３，１４を締め付ければ、軸受固定プレート３は支持ブラケット１に対し回動不能に固定される。
前記支持ブラケット１の下部には、円弧状の第三のガイド孔１５が形成され、その第三のガイド孔１５内には前記軸受固定プレート３からガイド軸１６が突出されている。従って、軸受固定プレート３が支持ブラケット１に対し回動するとき、ガイド軸１６が第三のガイド孔１５に沿って移動するようになっている。
【００２１】
また、軸受固定プレート３が支持ブラケット１に対し回動するとき、図２〜図４に示すように、支軸４は軸受固定プレート３の回動中心とはずれて位置するので、前記長孔８に沿って上下動するようになっている。
【００２２】
前記第三のガイド孔１５の下縁には、等間隔に多数の凹凸１７が形成され、前記ガイド軸１６はその凹凸１７に係合しながら移動するようになっている。従って、軸受固定プレート３を支持ブラケット１に対し回動させるとき、適度なクリック感が得られるようになっている。
【００２３】
さて、上記のように構成されたロールブラインドでは、窓枠等への取り付け作業時に、巻取軸２の他端を他方の支持ブラケットにより位置決めした状態で、巻取軸２の一端を支軸４で回動可能に支持する。
【００２４】
この状態でナット１３，１４を緩め、軸受固定プレート３を第一〜第三のガイド孔９，１０，１５に沿って回動させると、図２〜図４に示すように、支軸４の高さが変化する。
【００２５】
そして、支軸４の高さすなわち巻取軸２の一端の高さが所望の高さとなる位置で、ナット１３，１４を締め付けると、軸受固定プレート３が支持ブラケット１に固定され、巻取軸２の一端が位置決めされる。
【００２６】
上記のように構成されたロールブラインドでは、次に示す作用効果を得ることができる。
（１）軸受固定プレート３を支持ブラケット１に対し回動させることにより、巻取軸２の一端の高さを微調整することができる。従って、支持ブラケット間で巻取軸２が水平方向に支持されるように、巻取軸２の一端の高さを容易に微調整することができる。
（２）軸受固定プレート３を支持ブラケット１に対しナット１３，１４で締め付けるので、スクリーン昇降動作時の振動により、軸受固定プレート３の固定状態が容易に緩むことはない。
（３）支持ブラケット１に前記従来例で示すような調整ネジを設ける必要がないので、巻取軸２と支持ブラケット１との間のスペースを縮小することができる。従って、支持ブラケット１を巻取軸２の軸方向に小型化することができる。
（４）第三のガイド孔１５に設けられた凹凸１７により、軸受固定プレート３の回動操作にクリック感を持たせることができる。従って、そのクリック数をカウントすることにより、巻取軸２の高さの微調整位置を容易に再現することができる。
【００２７】
上記実施の形態は、次に示すように変更することもできる。
・第三のガイド孔１５には、その上下両縁に凹凸を設けてもよい。
【００２８】
【発明の効果】
以上詳述したように、この発明は巻取軸の支持位置の微調整を確実に行い得るとともに、支持ブラケットの大型化を防止し得るロールブラインドを提供することができる。
【図面の簡単な説明】
【図１】ロールブラインドの支持ブラケットを示す斜視図である。
【図２】支持ブラケットの作用を示す側面図である。
【図３】支持ブラケットの作用を示す側面図である。
【図４】支持ブラケットの作用を示す側面図である。
【符号の説明】
１          支持ブラケット
２          巻取軸
３          軸受固定プレート
４          支軸
１１，１２      ネジ軸
１３，１４      ナット
【図１】
2004204452.tif 000003
【図２】
2004204452.tif 000004
【図３】
2004204452.tif 000005
【図４】
2004204452.tif 000006